(57)【特許請求の範囲】
【請求項１】
円弧面を有するベースと、
前記ベースの前記円弧面の曲率半径中心を中心として回動できるように当該ベースに支持されたアームと、
前記ベースと接近離反できるように前記アームに移動可能に設けられたロックプレートと、
前記ロックプレートに支持された版曲げ部材と、
前記ベースの前記円弧面と前記版曲げ部材とで版を挾持するように前記ロックプレートを前記アームに位置決め固定する固定手段と、
前記アームの回動範囲をそれぞれ個別に規定できる複数の規制手段と
を備えてなることを特徴とする版曲げ装置。
【発明の詳細な説明】
【０００１】
【発明の属する技術分野】
本発明は、輪転印刷機などの版胴に装着される刷版のくわえ側および尻側を曲げる版曲げ装置に関する。
【０００２】
【従来の技術】
輪転印刷機などの版胴に刷版を装着する場合には、そのくわえ側および尻側を適正な角度に曲げる版曲げ装置が用いられている。このような版曲げ装置としては、例えば、特公平３−５９８２７号公報などに開示されたものが知られている。この特公平３−５９８２７号公報に開示された版曲げ装置を図９，１０を用いて説明する。
【０００３】
図９に示すように、架台１１１の作業側側板１１１ａには、刷版１００の幅よりもやや長い孔１１１ｃが設けられている。架台１１１の内部には、上記孔１１ｃから底板１１１ｂへ向かって傾斜する案内板１１２，１１３が設けられている。架台１１１の内部の底板１１１ｂに固定されたブラケット１１４には、上記孔１１１ｃから挿入されて案内板１１２，１１３に沿って自重で底板１１１ｂ方向へ滑降する刷版１００の先端と当接して接点を開成するリミットスイッチ１１５が取り付けられている。
【０００４】
図１０に示すように、挿入された刷版１００と対面する一方側には、刷版１００の表面と平行する上下一対の水平軸１１６，１１７が架台１１１の両側板の内面に固定された対をなすばね受け１１８間に支承されている。挿入された刷版１００と対面する他方側には、版曲げバー１１９がばね受け１１８の長孔１１８ａに両端部を摺動自在に支持されており、前記水平軸１１６，１１７の軸心を結ぶ線に対する遠近方向へ進退自在に設けられている。
【０００５】
前記ばね受け１１８と版曲げバー１１９の端部との間には、圧縮コイルばね１２０がそれぞれ装着されており、当該ばね１２０は、その弾発力により版曲げバー１１９を水平軸１１６，１１７から遠ざける方向に付勢するようになっている。前記ばね受け１１８にそれぞれ一体成形されて架台１１１の両側板間に支承された断面Ｌ字型のステー１２１には、前記リミットスイッチ１１５に電気的に接続された図示しないエアコンプレッサからのエアでピストンロッド１２２ａを進退させるエアシリンダ１２２が装着されており、当該エアシリンダ１２２は、エア圧でピストンロッド１２２ａが伸長すると、その作用端と係合する版曲げバー１１９を圧縮コイルばね１２０の弾発力に抗して水平軸１１６，１１７間へ向かって移動させて、前記軸１１６，１１７および前記バー１１９の位置関係により刷版１００をく字型に曲げるようになっている。
【０００６】
このような版曲げ装置は、次のようにして用いられる。
刷版１００のくわえ側端縁または尻側端縁を架台１１１の孔１１ｃから挿入すると、刷版１１１は、自重により案内板１１２，１１３に案内されて滑降し、水平軸１１６，１１７と版曲げバー１１９との間を通ってリミットスイッチ１１５の接点に先端が当接する。これによって接点が開成されてこれと電気的に接続されたエアシリンダ１２２が作動し、ピストンロッド１２２ａが伸長して版曲げバー１１９を圧縮コイルばね１２０の弾発力に抗し水平軸１１６，１１７方向へ移動させる。
【０００７】
版曲げバー１１９が上下の水平軸１１６，１１７間まで移動すると、図１０に鎖線で示すように、刷版１００が版曲げバー１１９によって上下の水平軸４８，４９に押圧されるので、刷版１００は、く字型に曲げられる。
【０００８】
エアシリンダ１２２のエアを抜くと、圧縮コイルばね１２０の弾発力によりピストンロッド１２２ａが収縮しながら版曲げバー１１９が水平軸１１６，１１７から遠ざかるので、刷版１００が挾持から解放され、当該刷版１００を孔１１１ｂから取り出すことができる。
【０００９】
【発明が解決しようとする課題】
ところが、刷版１００はくわえ側と尻側との曲げ角度が異なるため、前述したような従来の版曲げ装置を用いて刷版１００のくわえ側および尻側を曲げようとすると、エアシリンダ１２２のピストンロッド１２２ａの動作ストロークを刷版１００のくわえ側と尻側とで変更する必要があるため、非常に手間がかかってしまう。そこで、版曲げ装置を２台用意しておくことも考えられるが、設置スペースやコストに問題を生じてしまうため、現実的ではない。
【００１０】
このようなことから、本発明は、刷版のくわえ側および尻側を一台で簡単に曲げることができる版曲げ装置を提供することを目的とした。
【００１１】
【課題を解決するための手段】
前述した課題を解決するための、本発明による版曲げ装置は、円弧面を有するベースと、前記ベースの前記円弧面の曲率半径中心を中心として回動できるように当該ベースに支持されたアームと、前記ベースと接近離反できるように前記アームに移動可能に設けられたロックプレートと、前記ロックプレートに支持された版曲げ部材と、前記ベースの前記円弧面と前記版曲げ部材とで版を挾持するように前記ロックプレートを前記アームに位置決め固定する固定手段と、前記アームの回動範囲をそれぞれ個別に規定できる複数の規制手段とを備えてなることを特徴とする。
【００１２】
【発明の実施の形態】
本発明による版曲げ装置の実施の形態を図１〜６を用いて説明する。なお、図１は、その側面図、図２は、図１の矢線II方向からみた正面図、図３は、図１の III−III 線断面矢視図、図４は、図２のIV−IV線断面矢視図、図５は、図１の矢線Ｖ部の抽出拡大図、図６は、図５の矢線VI部の抽出断面図である。
【００１３】
図１，２に示すように、輪転印刷機の印刷ユニット側方に設けられたステップ１０１の側端部には、円弧面を有する円柱型のベース１がその両端側を支持されている。ベース１の両端部には、略く字型のアーム２の基端が当該ベース１の円弧面の曲率半径中心を中心として回動できるようにそれぞれ支持されている。これらアーム２間の先端側には、ハンドルバー３が取り付けられている。
【００１４】
前記アーム２の中程部分には、図３に示すように、穴２ａが形成されている。アーム２の穴２ａには、ロックピン４が軸心方向に摺動移動できるように嵌合している。ロックピン４の外周面には、軸心方向に沿って溝４ａが所定長形成されている。アーム２の外側面の穴２ａ近傍には、ロックピン４の溝４ａに係合する係合プレート５が取り付けられている。
【００１５】
つまり、ロックピン４は、その溝４ａに係合する係合プレート５により、アーム２の穴２ａから抜け落ちることなく当該穴２ａ内を摺動移動することができるようにそのスライド移動長を規制されているのである。
【００１６】
図３，４に示すように、アーム２の内側面の基端寄りには、ロックプレート６がその中程部分を軸７により回動可能に支持されており、当該ロックプレート６は、そのベース１側端部が当該ベース１に対して接近離反できるようになっている。ロックプレート６のロックピン４側には、当該ロックピン４の先端を嵌抜可能に挿入される係合穴６ａが形成されている。図１〜３に示すように、ロックプレート６間のロックピン４寄りには、補強ビーム８が取り付けられている。
【００１７】
図２〜４に示すように、前記ロックプレート６間のベース１側端部には、版曲げ部材である押さえローラ９が当該ベース１の円弧面の曲率半径中心と平行な軸回りで回動できるように支持されており、当該押さえローラ９は、前記ロックピン４をロックプレート６の係合穴６ａに嵌合してロックプレート６をアーム２に対して固定した際に前記ベース１の円弧面に当接して刷版１００を挾持できるようにその軸支位置が設定されている。上記ロックプレート６間の中程位置には、バックアップローラ１０が前記押さえローラ９に当接するようにして設けられている。
【００１８】
つまり、ロックピン４をロックプレート６の係合穴６ａに嵌合してロックプレート６をアーム２に対して位置決め固定することにより、ベース１の円弧面に押さえローラ９の外周面を当接させることができ、アーム２を回動させることにより、押さえローラ９をバックアップローラ１０でバックアップしながらベース１の円弧面に沿って転動させることができるようになっているのである。このようなロックピン４、係合プレート５などにより、本実施の形態では固定手段を構成している。
【００１９】
図１，２，５，６に示すように、ステップ１０１のベース１の端部近傍には、ピン１１がそれぞれ突設されている。当該ピン１１の突端側には、座金１１ａがそれぞれ設けられている。当該ピン１１には、ストッパプレート１２の基端が当該ピン１１の軸心方向に沿って摺動移動できると共に当該ピン１１の周方向に沿って回動できるようにそれぞれ嵌合している。当該ピン１１の座金１１ａと上記ストッパプレート１２との間には、圧縮コイルばね１３がそれぞれ嵌合しており、当該ストッパプレート１２は、前記ステップ１０１側へ押し付けられるように常に付勢されている。
【００２０】
図５に示すように、ストッパプレート１２の先端寄りには、ガイド溝１２ａが長手方向に沿って形成されている。ストッパプレート１２の先端には、ねじ１４が当該ストッパプレート１２の長手方向に軸心方向を向けるようにしてそれぞれ螺合しており、当該ねじ１４は、その先端が上記ガイド溝１２ａ内に突出すると共に、その突出する長さを所定の大きさに各々個別に調整することができるようになっている。一方、前記アーム２の前記バックアップローラ１０の軸心上には、上記ストッパプレート１２のガイド溝１２ａに摺動可能に差し込まれる係合ピン１５が突設されている。
【００２１】
つまり、ストッパプレート１２をピン１１の座金１１ａ側に引き寄せながら前記係合ピン１５に当該ストッパプレート１２のガイド溝１２ａを嵌合させることにより、ストッパプレート１２のガイド溝１２ａから係合ピン１５が外れないように圧縮コイルばね１３がストッパプレート１２をアーム２に押さえ付けることができると共に、ストッパプレート１２の溝１２ａ内への前記ねじ１４の突出長さを調整することにより、当該ストッパプレート１２のガイド溝１２ａ内の係合ピン１５の移動許容範囲が規定され、アーム２の回動可能範囲を規定することができるようになっているのである。このようなピン１１、ストッパプレート１２、圧縮コイルばね１３、ねじ１４、係合ピン１５などにより、本実施の形態では規制手段を構成している。
【００２２】
また、図１，２に示すように、ステップ１０１を支承するスタンド１０２の下寄りには、ハンドル３と着脱可能に係合してアーム２を固定保持するフック１６が設けられている。
【００２３】
このような版曲げ装置を用いた版曲げを図７を用いて説明する。なお、図７は、その手順説明図である。
【００２４】
ロックピン４をアーム２の穴２ａ内に押し込んでその先端を突出させると共に、フック１６をハンドルバー３から取り外してアーム２を回動させる（図７（ａ）参照）と、ロックプレート６の側端面がロックピン４に接触してアーム２に対するロックプレート６の回動が規制されるため、押さえローラ９がステップ１０１に接触するまでアーム２を回動させることができると共に、その接触状態でアーム２を停止させておくことができる（図７（ｂ）参照）。
【００２５】
次に、どちらか一方のストッパプレート１２のガイド溝１２ａを当該側の係合ピン１５に係合する（図７（ｃ）参照）と共に、ベース１と押さえローラ９との間に刷版１００を挿入（図７（ｄ）参照）した後、前記ロックピン４を引き抜き、前記ロックプレート６の係合穴６ａとアーム２の穴２ａとを一致させるように当該アーム２を回動させて、上記ロックピン４を差し込む（図７（ｅ）参照）と、ロックプレート６がアーム２に固定され、押さえローラ９がベース１に当接した状態で保持される。
【００２６】
続いて、ハンドルバー３を引き降ろすようにアーム２を回動する（図７（ｆ）参照）と、押さえローラ９がベース１の円弧面上を転動し、刷版１００が曲げられる。
【００２７】
このアーム２の回動に伴い、ストッパプレート１２のガイド溝１２ａ内を係合ピン１５が相対的に摺動移動し、当該係合ピン１５がねじ１４の先端に当接すると、アーム２が回動できなくなり、刷版１００の曲げ角度を所定の大きさで止めることができる。
【００２８】
このため、アーム２の回動限界を刷版１００のくわえ側の曲げ角度となるように一方側のストッパプレート１２のねじ１４のガイド溝１２ａからの突出長さを調整しておくと共に、アーム２の回動限界を刷版１００の尻側の曲げ角度となるように他方側のストッパプレート１２のねじ１４のガイド溝１２ａからの突出長さを調整しておき、刷版１００のくわえ側を曲げる場合においては、一方側のストッパプレート１２のガイド溝１２ａを当該側の係合ピン１５に係合して上述した操作を行い、刷版１００の尻側を曲げる場合においては、他方側のストッパプレート１２のガイド溝１２ａを当該側の係合ピン１５に係合して上述した操作を行うことにより、曲げ角度のそれぞれ異なる刷版１００のくわえ側および尻側を規定角度通りに簡単に曲げることができる。
【００２９】
したがって、このような版曲げ装置によれば、刷版１００の曲げ角度の異なるくわえ側および尻側を一台でも簡単に曲げることができる。
【００３０】
また、ベース１の円弧面に沿って押さえローラ９を転動させることにより刷版１００を曲げるようにしたので、刷版１００を浮き上がらせることなくきれいに曲げることができる。
【００３１】
また、前記ねじ１４の螺合状態により刷版１００の曲げ角度を調整することができるので、当該曲げ角度の設定を容易に行うことができる。
【００３２】
なお、本実施の形態では、ストッパプレート１２のガイド溝１２ａと係合する係合ピン１５をバックアップローラ１０の軸心上に設けたが、当該係合ピン１５は、アーム２と一体的に移動する箇所に設けられていればよい。
【００３３】
また、本実施の形態では、図５に示したように、ストッパプレート１２の基端をステップ１０１側に突設したピン１１で回動可能に支持し、アーム２側に突設した係合ピン１５にストッパプレート１２のガイド溝１２ａを差し込むようにしたが、例えば、図８に示すように、ストッパプレート１２の基端をアーム２側に突設したピン１１で回動可能に支持し、ステップ１０１側に突設した係合ピン１５にストッパプレート１２のガイド溝１２ａを差し込むようにすることも可能である。
【００３４】
また、本実施の形態では、ピン１１、ストッパプレート１２、圧縮コイルばね１３、ねじ１４、係合ピン１５などにより規制手段を構成したが、例えば、アームの回動限界位置を規定できるようにステップに出没可能に設けられたストッパブロックなどにより規制手段を構成することも可能である。
【００３５】
また、本実施の形態では、押さえローラ９をバックアップローラ１０でバックアップするようにしたが、押さえローラ９が十分な剛性を有する場合には、バックアップローラ１０を省略することも可能である。
【００３６】
また、本実施の形態では、回動可能な円柱型の押さえローラ９を版曲げ部材として用いたが、これに代えて、例えば、弾性を有するパッドなどを版曲げ部材として用いることも可能である。
【００３７】
また、ベース１は、周方向に沿って必要長の円弧面を有していれば十分であり、当該円弧面部分以外の形状は特に限定されることはない。
【００３８】
【発明の効果】
本発明による版曲げ装置によれば、刷版の曲げ角度の異なるくわえ側および尻側を一台でも簡単に曲げることができる。
【図面の簡単な説明】
【図１】本発明による版曲げ装置の実施の形態の側面図である。
【図２】図１の矢線II方向からみた正面図である。
【図３】図１の III−III 線断面矢視図である。
【図４】図２のIV−IV線断面矢視図である。
【図５】図１の矢線Ｖ部の抽出拡大図である。
【図６】図５の矢線VI部の抽出断面図である。
【図７】図１〜６の版曲げ装置を用いて版曲げする場合の手順説明図である。
【図８】本発明による版曲げ装置の他の実施の形態の要部の抽出拡大図である。
【図９】従来の版曲げ装置の一例の要部の断面図である。
【図１０】図９の要部の抽出拡大図である。
【符号の説明】
１  ベース
２  アーム
２ａ  穴
３  ハンドルバー
４  ロックピン
４ａ  溝
５  係合プレート
６  ロックプレート
６ａ  係合穴
７  軸
８  補強ビーム
９  押さえローラ
１０  バックアップローラ
１１  ピン
１１ａ  座金
１２  ストッパプレート
１２ａ  ガイド溝
１３  圧縮コイルばね
１４  ねじ
１５  係合ピン
１６  フック
１００  刷版
１０１  ステップ
１０２  スタンド
【図１】
0003836598.tif 000002
【図２】
0003836598.tif 000003
【図３】
0003836598.tif 000004
【図４】
0003836598.tif 000005
【図５】
0003836598.tif 000006
【図６】
0003836598.tif 000007
【図７】
0003836598.tif 000008
【図８】
0003836598.tif 000009
【図９】
0003836598.tif 000010
【図１０】
0003836598.tif 000011